(57)【特許請求の範囲】
【請求項１】
身頃に左袖と右袖とが繋がっている衣料の上半身部であって、
前記身頃のうち後身頃は、左側に左抉り部を有し、右側に右抉り部を有し、かつ、これら左抉り部と右抉り部の間は着用時に左右の肩甲骨を左右方向の内方側へ引っ張る引張力を有し、
前記左袖は背面側に、前記左抉り部に縫合された左縫合部分を有し、
前記右袖は背面側に、前記右抉り部に縫合された右縫合部分を有し、
前記左袖の上端部背面側が前記左抉り部に縫合される前では、前記左縫合部分は前記左抉り部の最深部よりも左右方向において短く、
前記右袖の上端部背面側が前記右抉り部に縫合される前では、前記右縫合部分は前記右抉り部の最深部よりも左右方向において短い、
ことを特徴とする衣料の上半身部。
【請求項２】
前記左袖のうち少なくとも背面は、前記左袖の長さ方向において２０％伸長時に伸長力が４５ｃＮ以上となる高伸長力領域を有し、
前記右袖のうち少なくとも背面は、前記右袖の長さ方向において２０％伸長時に伸長力が４５ｃＮ以上となる高伸長力領域を有する 
ことを特徴とする請求項１に記載の衣料の上半身部。
【請求項３】
前記左袖の高伸長力領域は前記左袖の背面から正面までに亘っており、
前記右袖の高伸長力領域は前記右袖の背面から正面までに亘っている
ことを特徴とする請求項２に記載の衣料の上半身部。
【請求項４】
前記左袖の正面は、前記左袖の長さ方向に４５ｃＮ以上の伸長力をかけても伸張率が２０％未満である非伸長領域を有し、
前記右袖の正面は、前記右袖の長さ方向に４５ｃＮ以上の伸長力をかけても伸張率が２０％未満である非伸長領域を有する
ことを特徴とする請求項１または請求項２に記載の衣料の上半身部。
【請求項５】
前記左袖のうち少なくとも背面は、前記左袖の長さ方向に４５ｃＮ以上の伸長力をかけても伸張率が２０％未満である非伸長領域を有し、
前記右袖のうち少なくとも背面は、前記右袖の長さ方向に４５ｃＮ以上の伸長力をかけても伸張率が２０％未満である非伸長領域を有する
ことを特徴とする請求項１に記載の衣料の上半身部。
【請求項６】
前記左袖の非伸長領域は前記左袖の背面から正面までに亘っており、
前記右袖の非伸長領域は前記右袖の背面から正面までに亘っている
ことを特徴とする請求項５に記載の衣料の上半身部。
【請求項７】
前記左袖の正面は、前記左袖の長さ方向において２０％伸長時に伸長力が４５ｃＮ以上である高伸長力領域を有し、
前記右袖の正面は、前記右袖の長さ方向において２０％伸長時に伸長力が４５ｃＮ以上である高伸長力領域を有する
ことを特徴とする請求項１または請求項５に記載の衣料の上半身部。
【請求項８】
前記身頃の左脇部から前記左抉り部の最深部までの左右方向における距離が、前記身頃の右脇部から前記右抉り部の最深部までの左右方向における距離に等しく、この距離の０．５〜６倍が、前記左抉り部の最深部から前記右抉り部の最深部までの左右方向における距離に等しいことを特徴とする請求項１から請求項７までのいずれかに記載の衣料の上半身部。
【請求項９】
前記左袖のうち少なくとも着用者の左脇の下に対向する部分と、前記右袖のうち少なくとも着用者の右脇の下に対向する部分とは、柔軟性の高い生地を備えていることを特徴とする請求項１から請求項８までのいずれかに記載の衣料の上半身部。
【請求項１０】
前記身頃のうち前身頃は、前記後身頃と同じ生地で構成されていることを特徴とする請求項１から請求項９までのいずれかに記載の衣料の上半身部。
【請求項１１】
前記身頃のうち前身頃は、前記後身頃と同じ生地で構成されており、この生地の横地は、前記前身頃では上下方向であり、前記後身頃では左右方向であることを特徴とする請求項１から請求項９までのいずれかに記載の衣料の上半身部。
【請求項１２】
前記後身頃は、前記身頃のうち前身頃と同じ生地に樹脂が塗布された部分を含むことにより、左右方向の引張力が前記前身頃よりも強いことを特徴とする請求項１から請求項９までのいずれかに記載の衣料の上半身部。
【請求項１３】
前記後身頃は、前記身頃のうち前身頃よりも生地の引張力が強いことを特徴とする請求項１から請求項９までのいずれかに記載の衣料の上半身部。
【請求項１４】
前記後身頃は複数枚の生地を使用して、前記身頃のうち前身頃よりも引張力が強いことを特徴とする請求項１から請求項９までのいずれかに記載の衣料の上半身部。
【発明の詳細な説明】
【技術分野】
【０００１】
本発明は、衣料の上半身部に関する。
【背景技術】
【０００２】
着用者の上半身の少なくとも一部を覆うことができる衣類の上半身部が知られている（例えば、特許文献１参照）。
【先行技術文献】
【特許文献】
【０００３】
【特許文献１】特開２０１４−１９６５８７号公報
【発明の概要】
【発明が解決しようとする課題】
【０００４】
人は、スマートフォン等の携帯機器を操作するとき、携帯機器をもつ腕が正面中央側へ回るように、肩が所定の姿勢よりも前方へ出てしまいやすい。「所定の姿勢」とは一般的に知られている正しい姿勢であり、具体的には例えば平坦面に起立している人を真横から見た場合、首のつけ根、肩、ひじ、くるぶしが略一直線上に位置する姿勢である。この姿勢よりも肩が前方へ出る姿勢、いわゆる巻き肩や猫背は頻繁にまたは連続して長時間にわたって保持された場合、肩こりまたは姿勢の悪化等の問題をもたらし得る。【０００５】
本発明は、このような事情に鑑みてなされたものであり、腕が正面中央側へ回るように肩が前方に出る姿勢を着用者にとらせづらくすることができる衣料の上半身部の提供を目的とする。
【課題を解決するための手段】
【０００６】
本発明の１つの観点による衣料の上半身部は、身頃に左袖と右袖とが繋がっている。身頃のうち後身頃は、左側に左抉り部を有し、右側に右抉り部を有し、かつ、これら左抉り部と右抉り部の間は、着用時に左右の肩甲骨を左右方向の内方側へ引っ張る引張力を有する。左袖は背面側に、左抉り部に縫合された左縫合部分を有する。右袖は背面側に、右抉り部に縫合された右縫合部分を有する。前記左袖の上端部背面側が前記左抉り部に縫合される前では、前記左縫合部分は前記左抉り部の最深部よりも左右方向において短い。前記右袖の上端部背面側が前記右抉り部に縫合される前では、前記右縫合部分は前記右抉り部の最深部よりも左右方向において短い。このように構成することで、この衣料の立体形状では両袖の延びる方向が標準的な方向よりも後方へ逸れる。したがって、標準的な体形の人でもこれらの両袖に両腕を通すだけで、後身頃の左抉り部と右抉り部の間が備える強い引張力で両肩が後方へ引かれる。すなわち、後身頃の左抉り部と右抉り部の間が備える引張力で着用者の左右の肩甲骨を内方側へ引き寄せ、着用者の左右の上腕上部と肩とに対して後方への高い負荷をかける。その結果、この衣料は、左右の上腕上部が正面中央側へ回るように左右の肩が前方に出る姿勢を着用者にとらせづらくし、巻き肩や猫背といった姿勢の悪化を着用者に確実に回避させることができる。また、既に巻き肩や猫背になった人に対しても優れた矯正効果を発揮することができる。【０００７】
なお、前記左抉り部の最深部よりも左右方向において短くする上側の開始点としては、左抉り部の上端からその真下の１０ｃｍの範囲における箇所より開始させるようにしてもよい。また、前記右抉り部の最深部よりも左右方向において短くする上側の開始点としては、右抉り部の上端からその真下の１０ｃｍの範囲における箇所より開始させるようにしてもよい。逆に、前記左抉り部の最深部よりも左右方向において短くする下側の終了点としては、左抉り部の最深部から真下に２ｃｍ〜５ｃｍ又は２ｃｍ〜１０ｃｍの箇所より終了させるようにしてもよい。また、前記右抉り部の最深部よりも左右方向において短くする下側の終了点としては、右抉り部の最深部から真下に２ｃｍ〜５ｃｍ又は２ｃｍ〜１０ｃｍの箇所より終了させるようにしてもよい。
さらに、後身頃の左抉り部と右抉り部の間に備える強い引張力は、左右の抉り部の上端から下端（脇）までの領域で必ず存在させる必要があるというものではなく、最深部が左右の抉り部の中間にある場合には最深部から真上に３ｃｍ以上でかつ最深部から真下に３ｃｍ以上となる領域（範囲）で、最深部が左右の抉り部の上端にある場合にはその上端から真下に６ｃｍ以上となる領域（範囲）で、最深部が左右の抉り部の下端にある場合にはその下端から真上に６ｃｍ以上となる領域（範囲）で存在させることが好ましい。要は適宜の領域（範囲）で前記強い引張力を存在させればよいものである。【０００８】
左袖のうち少なくとも背面は、左袖の長さ方向において２０％伸長時に伸長力が４５ｃＮ以上となる高伸長力領域を有してもよい。右袖のうち少なくとも背面は、右袖の長さ方向において２０％伸長時に伸長力が４５ｃＮ以上となる高伸長力領域を有してもよい。左袖の高伸長力領域は左袖の背面から正面までに亘っていてもよく、右袖の高伸長力領域は右袖の背面から正面までに亘っていてもよい。左袖の正面は、左袖の長さ方向に４５ｃＮ以上の伸長力をかけても伸張率が２０％未満である非伸長領域を有してもよく、右袖の正面は、右袖の長さ方向に４５ｃＮ以上の伸長力をかけても伸張率が２０％未満である非伸長領域を有してもよい。これらの構成によれば、着用者に対して後身頃が加える引張力が両袖の背面の伸びによって大きくは減殺されず、着用者の左右の肩甲骨、更には上腕上部および肩を着用者の後方へ、更には背面中央側へと移動させる力がより強く働くことが新たに知見された。【０００９】
左袖のうち少なくとも背面は、左袖の長さ方向に４５ｃＮ以上の伸長力をかけても伸張率が２０％未満である非伸長領域を有してもよく、右袖のうち少なくとも背面は、右袖の長さ方向に４５ｃＮ以上の伸長力をかけても伸張率が２０％未満である非伸長領域を有してもよい。左袖の非伸長領域は左連繋部の背面から正面までに亘ってもよく、右袖の非伸長領域は右連繋部の背面から正面までに亘ってもよい。左袖の正面は、左袖の長さ方向において２０％伸長時に伸長力が４５ｃＮ以上である高伸長力領域を有してもよい。右袖の正面は、右袖の長さ方向において２０％伸長時に伸長力が４５ｃＮ以上である高伸長力領域を有してもよい。いずれの構成でも、着用者の左右の肩甲骨、上腕上部、および肩が後身頃に更に強く引き寄せられ、着用者の後方へ、かつ背面中央側へと移動させられる。こうして、着用者の姿勢に対する矯正効果を更に高めることができる。【００１０】
身頃の左脇部から左抉り部の最深部までの左右方向における距離が身頃の右脇部から右抉り部の最深部までの左右方向における距離に等しくてもよく、この距離の０．５〜６倍が、左抉り部の最深部から右抉り部の最深部までの左右方向における距離に等しくてもよい。この構成によれば、この衣料の上半身部のうち着用者の肩口を覆う部分が着用者の背面中央側へよれる事態を防止することができる。したがって、この事態に起因して、衣料の上半身部にしわが出たり、この衣料が着用者の運動を邪魔したりすることが回避される。【００１１】
左袖のうち少なくとも着用者の左脇の下に対向する部分と、右袖のうち少なくとも着用者の右脇の下に対向する部分とは、柔軟性の高い生地を備えていてもよい。この構成によれば、後身頃の引っ張りにより左右の連繋部の背面側が着用者の後方へ、および背面中央側へ移動しても、着用者に脇の下の痛みを感じさせる事態を防止することができる。【００１２】
後身頃は右抉り部と左抉り部によって前身頃（正面）の左右方向の幅よりも幅小に形成されるため、前身頃と後身頃とが同じ生地で構成されていても、後身頃は着用時に左右方向の内方側へ引っ張る引張力を有する。また、後身頃は前身頃と同じ生地で構成し、その生地の横地を、前身頃では上下方向であり、後身頃では左右方向にしてもよい。さらに、後身頃は、前身頃と同じ生地に樹脂が塗布された部分を含むことにより、左右方向の引張力が前身頃よりも強くてもよい。さらにまた、後身頃は前身頃よりも生地の引張力が強いものを使用してもよいし、後身頃は複数枚の生地を使用して前身頃よりも引張力を強くしてもよい。いずれによっても、後身頃に必要な強さの引張力を容易に生じさせることができる。
【発明の効果】
【００１３】
本発明によれば、腕が正面中央側へ回るように肩が前方に出る姿勢を着用者にとらせづらくすることができる衣料の上半身部を提供することができる。
【図面の簡単な説明】
【００１４】
【図１】本発明の第１実施形態による衣料の上半身部の正面図である。
【図２】図１の衣料の上半身部の背面図である。
【図３】図１の衣料の上半身部が人に着用された状態を示す模式平面図である。
【図４】本発明の別の実施形態による衣料の上半身部の背面図である。
【図５】本発明の第２実施形態による衣料の上半身部の正面図である。
【図６】図５の衣料の上半身部の背面図である。
【図７】図６の一部拡大図である。
【図８】図５の衣料の上半身部における身頃の後側領域の左側と左袖との縫合が解かれた状態の第１例を示す概略図である。
【図９】図５の衣料の上半身部における身頃の後側領域の右側と右袖との縫合が解かれた状態の一例を示す概略図である。
【図１０】図５の衣料の上半身部における身頃の後側領域の左側と左袖との縫合が解かれた状態の第２例を示す概略図である。
【図１１】図５の衣料の上半身部における身頃の後側領域の左側と左袖との縫合が解かれた状態の第３例を示す概略図である。
【図１２】図５の衣料の上半身部における身頃の後側領域の左側と左袖との縫合が解かれた状態の第４例を示す概略図である。
【図１３】図５の衣料の上半身部における身頃の後側領域の左側と左袖との縫合が解かれた状態の第５例を示す概略図である。
【図１４】本発明のまた別の実施形態による衣料の上半身部の背面図である。
【発明を実施するための形態】
【００１５】
以下、本発明の実施形態について図面を参照しつつ説明する。
【００１６】
《第１実施形態》
図１には、本発明の第１実施形態による衣料の上半身部１の正面図を示し、図２には、その上半身部１の背面図を示す。なお、図１および図２においては、平らに広げられた通常状態にある衣料の上半身部１を表している。図１、図２に示されるように、衣料の上半身部１は、着用者の上半身に着用され得るように構成されている。衣料の上半身部１としては、肌着として着用され得るもの（インナーウェア）、または、肌着の上に着用される中衣もしくは上着として着用され得るもの（アウターウェア）がある。
【００１７】
衣料の上半身部１は、身頃２と、左袖３と、右袖４とを備えている。身頃２は前身頃１１と後身頃１２とを有する。後身頃１２は後側領域８を含む。後側領域８の左側に左袖３が縫合され、後側領域８の右側に右袖４が縫合されている。
【００１８】
身頃２は、衣料の上半身部１の上下方向を軸方向とする筒状体である。身頃２は、着用者が衣料の上半身部１を着用する際に着用者の上半身に応じて少なくとも後側領域８を伸ばしつつ、着用者の上半身を覆うことができるように構成されている。なお、第１実施形態による身頃２においては、前身頃１１と後身頃１２とが別体で構成されているが、これらは一体で構成されていてもよい。
【００１９】
前身頃１１は着用者の上半身の正面に対応する部分であり、着用者の上半身の略正面全部を覆うことができるように形成されている。後身頃１２は着用者の上半身の背面に対応する部分であり、着用者の上半身の略背面全部を覆うことができるように形成されている。
【００２０】
後身頃１２の後側領域８（図２における第１ドット領域）は、左袖３との凹状の縫合箇所と右袖４との凹状の縫合箇所との間の領域であり、着用時に左右方向の内方側へ引っ張る引張力を有する。後側領域８はまた、左脇部１３と右脇部１４とを左右方向に最短距離で結ぶ直線よりも上方に位置する。後側領域８は、前身頃１１と同じ生地を使用しても前身頃１１（つまり正面）に相当する左右方向の幅よりも幅小である。これにより後側領域８には、着用時に左右方向の内方側へ引っ張る引張力が生じる。その他に、少なくとも後側領域８は、引張力の強い生地に変更したり生地を複数枚使用したりすることで、前身頃１１よりも引張力を強くすることが可能である。さらに、後身頃１２、特に後側領域８は前見頃１１と同じ生地で構成し、その生地の横地は、前見頃１１では上下方向とし、後身頃１２では左右方向にして、前身頃１１よりも引張力を強くすることが可能である。上記のものとは別に、後側領域８は、前見頃１１と同じ生地に樹脂が塗布された部分を含む。この樹脂は特に弾性の高い種類であり、たとえば、ポリウレタン、シリコーン樹脂、ポリ塩化ビニルを含む。この場合においても、後側領域８は前見頃１１よりも左右方向の引張力を強く設定することが可能である。
【００２１】
衣料の上半身部１が着用された際、後側領域８は引張力を着用者に対して発揮することにより、左袖３との縫合箇所を右方へ引っ張り、かつ右袖４との縫合箇所を左方へ引っ張る。後身頃１２のうち少なくとも後側領域８は、左右方向において２０％伸長時に６０ｃＮ以上となる伸長力を有している。この伸長力は好ましくは、左右方向の２０％伸長時に８０ｃＮ以上６００ｃＮ以下であり、より好ましくは、左右方向の２０％伸長時に１００ｃＮ以上４００ｃＮ以下である。
【００２２】
身頃２は更に、襟ぐり１６と、裾１７と、左の取付用端部１８と、右の取付用端部１９とを含む。襟ぐり１６は、身頃２の上端部に配されるとともに、身頃２の左右方向の中央付近に配されている。裾１７は、襟ぐり１６の下方に配されている。左の取付用端部１８は、左袖３の背面側を後側領域８（身頃２（後身頃１２））に縫合するための部分であり、後側領域８の左側に配されている。右の取付用端部１９は、右袖４の背面側を後側領域８（身頃２（後身頃１２））に縫合するための部分であり、後側領域８の右側に配されている。
【００２３】
左袖３は、身頃２に連通しつつ当該左袖３の長さ方向（軸方向、図１における概ね矢印２１方向）に延在する筒状体である。第１実施形態において、左袖３は長袖である。なお、本発明における左袖は、これに代えて、半袖であってもよいし、七分袖であってもよい。
【００２４】
左袖３の長さ方向一端部（身頃２側にある上端部）には上端部背面２３（図２における第２の点ハッチングの領域）が備えられている。上端部背面２３とは、図２などに示すとおり、衣料の上半身部１の左脇部１３から、左袖３の長手方向と直交する方向に延びる左脇基準線（第１仮想線）２５に対して、その左脇基準線２５よりも後側領域８側に存在する左袖３の部分をいう。上端部背面２３は、身頃２のうち後身頃１２の後側領域８と隣り合うように配されている。
【００２５】
左袖３は上端部背面２３側が、後側領域８の左側（左の取付用端部１８）に縫合されている。左袖３のうち少なくとも上端部背面２３は、左袖３の長さ方向において２０％伸長時に４５ｃＮ以上６００以下となる伸長力を有している。この伸長力は好ましくは左袖３の長さ方向の２０％伸長時に６０ｃＮ以上５００ｃＮ以下であり、より好ましくは左袖３の長さ方向の２０％伸長時に８０ｃＮ以上４００ｃＮ以下である。
【００２６】
右袖４は、身頃２に連通しつつ当該右袖４の長さ方向（軸方向、図１における概ね矢印２６方向）に延在する筒状体である。第１実施形態において、右袖４は長袖である。なお、本発明における右袖は、これに代えて、半袖であってもよいし、七分袖であってもよい。
【００２７】
右袖４の長さ方向一端部（身頃２側にある上端部）には上端部背面２８（図２における第２の点ハッチングの領域）が備えられている。上端部背面２８とは、図２などに示すとおり、衣料の上半身部１の右脇部１４から、右袖４の長手方向と直交する方向に延びる右脇基準線（第２仮想線）２９に対して、その右脇基準線２９よりも後側領域８側に存在する右袖４の部分をいう。上端部背面２８は、身頃２のうち後身頃１２の後側領域８と隣り合うように配されている。
【００２８】
右袖４は上端部背面２８側が、後側領域８の右側（右の取付用端部１９）に縫合されている。右袖４のうち少なくとも上端部背面２８は、右袖４の長さ方向において２０％伸長時に４５ｃＮ以上６００以下となる伸長力を有している。この伸長力は好ましくは右袖４の長さ方向の２０％伸長時に６０ｃＮ以上５００ｃＮ以下であり、より好ましくは右袖４の長さ方向の２０％伸長時に８０ｃＮ以上４００ｃＮ以下である。
【００２９】
なお、ここでいう「伸長力」とは、それぞれの製造に用いられる生地（素材）を、定速伸長形引張試験機により、約２０℃（１８℃〜２２℃）の環境下において、幅２．５ｃｍ、長さ（生地把持間隔）１０ｃｍの状態で、引張り速度３０ｃｍ／分で所定方向に２０％伸長させた時の伸長力である。本件では定速伸長形引張試験機として島津製作所製ＡＧＳ−Ｘを採用し、これを用いて測定した伸長力を記載している。
【００３０】
以上のように、衣類の上半身部１において、左袖３の上端部背面２３と右袖４の上端部背面２８とは、長さ方向における２０％伸長時に伸長力が４５ｃＮ以上となる強伸張力領域として構成されている。これにより、衣類の上半身部１が着用されたときに身頃２の後側領域８が発揮する引張力（左袖３の上端部背面２３を略右方へ引っ張り、かつ、右袖４の上端部背面２８を略左方へ引っ張る力）が左袖３の上端部背面２３と右袖４の上端部背面２８との伸びによって大きくは減殺されず、着用者の左右両方の上腕上部および肩を着用者の後方へ、更には背面中央側へと移動させる力がより強く働くことが新たに知見された。
【００３１】
この力の働きにより、着用者の左右両方の上腕上部および肩に後方への高い負荷をかけることが可能となる。したがって、図３でいえば、左右の上腕上部がそれぞれ正面中央側へ回るように両肩が前方へ出る姿勢３５を、着用者３０に更にとらせづらくすることができる。その結果、着用者が巻き肩や猫背になるといったことを効果的に抑制することができ、着用者の姿勢に対する矯正効果をより高めることができる。また、既に巻き肩や猫背になった人に対しても優れた矯正効果を衣類の上半身部１に発揮させることが可能になる。
【００３２】
なお、第１実施形態による左袖３と右袖４とは、襟ぐり１６から比較的離れた状態で上端部背面２３・２８側が身頃２の後側領域８の左右両側に縫合されている。しかし、本発明における左右の袖はこれらには限定されない。例えば、図４に示すような左袖４４と右袖４９であってもよい。これらは、襟ぐり１６に対して比較的近づいた状態で、上端部背面４３・４８側が身頃２の後側領域８の左右両側に縫合されている。
【００３３】
《第２実施形態》
図５に、本発明の第２実施形態による衣料の上半身部５１の正面図を示す。図６に、この上半身部５１の背面図を示す。図７に、図６の一部拡大図を示す。なお、図５および図６は、平らに広げられた通常状態にある衣料の上半身部５１を表している。第２実施形態による衣料の上半身部５１は、身頃２の後側領域８と両袖３・４との縫合の構成が第１実施形態による衣料の上半身部１と相違する。すなわち、図５、図６、図７に示されるように、衣料の上半身部５１において、身頃２は左袖ぐりと右袖ぐりとを備えている。左袖ぐりを介して身頃２に左袖３が取り付けられ、右袖ぐりを介して右袖４が身頃２に取り付けられている。
【００３４】
身頃２の左袖ぐりは、左の取付用端部を構成するものであり、左の取付用端部正面５３と左の取付用端部背面５４とを有している。なお、以下の説明においては、左の取付用端部正面５３を単に左端部正面５３といい、左の取付用端部背面５４を単に左端部背面５４という。左端部正面５３は、身頃２の左袖ぐりの正面に配されている。左端部正面５３は、前身頃１１の上部左側に設けられている。左端部背面５４は、身頃２の左袖ぐりの背面に配されている。左端部背面５４は、後身頃１２の上部左側（後側領域８の左側）に設けられている。
【００３５】
身頃２の右袖ぐりは、右の取付用端部を構成するものであり、右の取付用端部正面５６と右の取付用端部背面５７とを有している。なお、以下の説明においては、右の取付用端部正面５６を単に右端部正面５６といい、右の取付用端部背面５７を単に右端部背面５７という。右端部正面５６は、身頃２の右袖ぐりの正面に配されている。右端部正面５６は、前身頃１１の上部右側に設けられている。右端部背面５７は、身頃２の右袖ぐりの背面に配されている。右端部背面５７は、後身頃１２の上部右側（後側領域８の右側）に設けられている。
【００３６】
第２実施形態においては、後側領域８が左端部背面５４から右端部背面５７に亘って延在するように設けられている。言い換えれば、後側領域８が、後側領域８の左側と左袖３との縫合箇所から後側領域８の右側と右袖４との縫合箇所までに亘って延在するように設けられている。
【００３７】
左袖３は左袖正面６１と左袖背面６２とを有している。第２実施形態においてこれらは別体に構成されているが、一体に構成されていてもよい。左袖正面６１と左袖背面６２とは、左袖３が筒状を呈するように前後に連続的に並べられている。左袖正面６１と左袖背面６２とは、左袖３の長さ方向一端部（上端部）側で身頃２の左袖ぐりに縫合される一方、左袖３の長さ方向他端部（下端部）側に袖口６５を形成している。
【００３８】
左袖正面６１には左袖３の上端部正面６７が含まれている。上端部正面６７とは、図５に示すとおり、衣料の上半身部１の左脇部１３から、左袖３の長手方向と直交する方向に延びる左脇基準線（第１仮想線）２５に対して、その左脇基準線２５よりも後側領域８側に存在する左袖３の部分をいう。左袖３の上端部正面６７は、左袖３の長さ方向一端部（上端部）の正面側に設けられており、身頃２の左端部正面５３（前身頃１１の上部左側）と隣り合うように配されている。
【００３９】
左袖背面６２には左袖３の上端部背面６８が含まれている。左袖３の上端部背面６８は、左袖３の長さ方向一端部（上端部）の背面側に設けられており、身頃２の左端部背面５４（後身頃１２の上部左側）と隣り合うように配されている。
【００４０】
左袖３は、上端部背面６８側が左端部背面５４（後側領域８の左側）に縫合されている。左袖３のうち少なくとも上端部背面６８は、左袖３の長さ方向において２０％伸長時に４５ｃＮ以上６００以下となる伸長力を有している。この伸長力は好ましくは、左袖３の長さ方向の２０％伸長時に６０ｃＮ以上５００ｃＮ以下であり、より好ましくは、左袖３の長さ方向の２０％伸長時に８０ｃＮ以上４００ｃＮ以下である。
【００４１】
右袖４は右袖正面７１と右袖背面７２とを有している。第２実施形態においてこれらは別体に構成されているが、一体に構成されていてもよい。右袖正面７１と右袖背面７２とは、右袖４が筒状を呈するように、前後に連続的に並べられている。右袖正面７１と右袖背面７２とは、右袖４の長さ方向一端部（上端部）側で身頃２の右袖ぐりに縫合される一方、左袖３の長さ方向他端部（下端部）側に袖口７５を形成している。
【００４２】
右袖正面７１には右袖４の上端部正面７７が含まれている。上端部正面７７とは、図５などに示すとおり、衣料の上半身部１の右脇部１４から、右袖４の長手方向と直交する方向に延びる右脇基準線（第２仮想線）２９に対して、その右脇基準線２９よりも後側領域８側に存在する右袖４の部分をいう。右袖４の上端部正面７７は、右袖４の長さ方向一端部（上端部）の正面側に設けられており、身頃２の右端部正面５６（前身頃１１の上部右側）と隣り合うように配されている。
【００４３】
右袖背面７２には右袖４の上端部背面７８が含まれている。右袖４の上端部背面７８は、右袖４の長さ方向一端部（上端部）の背面側に設けられおり、身頃２の右端部背面５７（後身頃１２の上部右側）と隣り合うように配されている。
【００４４】
右袖４は、上端部背面７８側が右端部背面５７（後側領域８の右側）に縫合されている。右袖４のうち少なくとも上端部背面７８は、右袖４の長さ方向において２０％伸長時に４５ｃＮ以上６００以下となる伸長力を有している。この伸長力は好ましくは、右袖４の長さ方向の２０％伸長時に６０ｃＮ以上５００ｃＮ以下であり、より好ましくは、右袖４の長さ方向の２０％伸長時に８０ｃＮ以上４００ｃＮ以下である。
【００４５】
以上のように、衣類の上半身部５１において、左袖３の上端部背面６８と右袖４の上端部背面７８とは、長さ方向における２０％伸長時に伸長力が４５ｃＮ以上となる強伸張力領域として構成されている。これにより、第１実施形態と同様に、衣類の上半身部５１が着用された際に身頃２の後側領域８が発揮する引張力が、左袖３の上端部背面６８を略右方へ引っ張り、かつ、右袖４の上端部背面７８を略左方へ引っ張る。この引張力は、左袖３の上端部背面６８と右袖４の上端部背面７８との伸びによって大きくは減殺されないので、着用者の左右両方の上腕上部と肩とを着用者の後方へ、更に背面中央側へと移動させる力がより強く働くことになる。その結果、着用者の左右両方の上腕上部と肩とに後方への高い負荷をかけることが可能となる。したがって、左右の上腕上部が正面中央側へまわるように左右の肩が前方に出てしまう姿勢を着用者に、よりとりづらくさせることができる。それ故、着用者が巻き肩や猫背になるといったことを効果的に抑制することができ、着用者の姿勢に対する矯正効果をより高めることができる。また、既に巻き肩や猫背になった人に対しても優れた矯正効果を衣類の上半身部５１に発揮させることが可能になる。
【００４６】
衣類の上半身部５１は、左袖３のうち少なくとも上端部背面６８および上端部正面６７に亘って（第２実施形態においては、左袖３の上端部のうち着用者の左脇の下に対向する部分を除いた部分で）、左袖３の長さ方向において２０％伸長時に４５ｃＮ以上６００ｃＮ以下となる伸長力を有するように構成されている。この伸長力は好ましくは、左袖３の長さ方向の２０％伸長時に６０ｃＮ以上５００ｃＮ以下であり、より好ましくは、左袖３の長さ方向の２０％伸長時に８０ｃＮ以上４００ｃＮ以下である。
【００４７】
衣類の上半身部５１は、右袖４のうち少なくとも上端部背面７８および上端部正面７７に亘って（第２実施形態においては、右袖４の上端部のうち着用者の右脇の下に対向する部分を除いた部分で）、右袖４の長さ方向において２０％伸長時に４５ｃＮ以上６００ｃＮ以下となる伸長力を有するように構成されている。この伸長力は好ましくは、右袖４の長さ方向の２０％伸長時に６０ｃＮ以上５００ｃＮ以下であり、より好ましくは、右袖４の長さ方向の２０％伸長時に８０ｃＮ以上４００ｃＮ以下である。
【００４８】
これらの構成により、衣類の上半身部５１が着用されたとき、着用者の左右両方の上腕上部と肩とを、さらに強く着用者の後方へ、更に背面中央側へと移動させることができる。そのため、より効果的な着用者の姿勢矯正を行うことができる。
【００４９】
ところで、図８以降は、着用者の左右両方の上腕上部と肩とを着用者の後方へ、更により効果的に背面中央側へ引張って移動させることができる構成を示しているものであり、上記各実施形態に適用できるものである。
以下、その説明を行うこととする。
【００５０】
図８に、身頃２（後身頃１２）の後側領域８の左側と左袖３との縫合が解かれた状態の概略図を示す。なお、図８において、後述の高柔軟性の高い生地１９１は説明の便宜上省略している。衣類の上半身部５１において、左袖３は、図８に示す状態を経て後側領域８の左側に近接し、これと縫合される。
図８に示すように、後身頃１２の後側領域８の左側に、左抉り部８１が設けられている。この左抉り部８１に左袖３の上端部背面６８側が縫合される。詳しくは、左抉り部８１は左端部背面５４として機能するものである。左抉り部８１は、後身頃１２の左縁部の上側が抉られることによって構成されており、後身頃１２の上下方向に延在している。左抉り部８１は、後身頃１２の左右方向の中心縦線８３側（右側）へ凹んだ湾曲形状（凹形状）をしている。その形状のうち、中心縦線８３側へ最も凹んだ部分に最深部８５を左抉り部８１は有している。この最深部８５は、凹形状の縫合ラインを形作る、左抉り部８１の縁部上に配されている。
【００５１】
図９に、身頃２（後身頃１２）の後側領域８の右側と右袖４との縫合が解かれた状態の概略図を示す。なお、図９において、後述の高柔軟性の生地１９２は説明の便宜上省略している。衣類の上半身部５１において、右袖４は、図９に示す状態を経て後側領域８の右側に近接し、これと縫合される。
【００５２】
図９に示すように、後身頃１２の後側領域８の右側に右抉り部１０１が設けられている。この右抉り部１０１に右袖４の上端部背面７８側が縫合される。詳しくは、右抉り部１０１は右端部背面５７として機能するものである。右抉り部１０１は、後身頃１２の右縁部の上側が抉られることによって構成されており、概ね後身頃１２の上下方向に延在している。右抉り部１０１は、後身頃１２の左右方向の中心縦線８３側（左側）へ凹む湾曲形状（凹形状）を有している。その形状のうち、中心縦線８３側へ最も凹んだ部分に最深部１０５を右抉り部１０１は有している。この最深部１０５は、凹形状の縫合ラインを形作る、右抉り部１０１の縁部上に配されている。
【００５３】
このように、身頃２の後側領域８の左側および右側の各々に左抉り部８１および右抉り部１０１が設けられるため、後側領域８は左右方向に短くなる。着用者は後側領域８を少なくとも左右方向に伸ばしながら衣料の上半身部１を着用するので、後側領域８の引張力がより強力になる。したがって、着用者の左右両方の上腕上部と肩とを、より強く着用者の後方へ、更に背面中央側へと移動させることができる。
【００５４】
図８に示されるように、第２実施形態においては、左袖３は上端部背面６８側に、後側領域８の左抉り部８１に縫合された左縫合部分１３２を有している。左袖３の上端部背面６８側が左抉り部８１に縫合される前では左縫合部分１３２は全体が左抉り部８１よりも左右方向において短いので、左抉り部８１の最深部８５には到達しない。詳しくは、左袖３の上端部背面６８側に左基部１３１と前述の左縫合部分１３２とが設けられている。左基部１３１は、上端部背面６８側のうち左袖３の長手方向他端部（下端部）側に配されている。左縫合部分１３２は、上端部背面６８側のうち左袖３の長手方向一端部（上端部）側に配されている。
【００５５】
左縫合部分１３２は、左基部１３１から左抉り部８１（後側領域８）に向かって膨出する膨出形状を有し、その形状のなかで左右方向の中心縦線８３側へ最も突出する部分に、頂部１３４を備えている。頂部１３４は、左抉り部８１に対して凸形状の縫合ラインを形作る、左縫合部分１３２の（背面から見て）右側縁部上に配されている。
【００５６】
左袖３の上端部背面６８側においては、左縫合部分１３２の右側縁部が左抉り部８１に縫合される。この際、左縫合部分１３２の右側縁部の上端部１３５が左抉り部８１の上端部１３６と合致させられ、左縫合部分１３２の右側縁部の下端部１３７が左抉り部８１の下端部９３と合致させられる。さらに、左縫合部分１３２の頂部１３４が左抉り部８１の最深部８５と合致させられる。
【００５７】
左縫合部分１３２と左抉り部８１との縫合が解かれた場合（即ち、これら両者が分離している場合）、左縫合部分１３２の上端部１３５と下端部１３７との最短距離ｄ１は、左抉り部８１の上端部１３６と下端部９３との最短距離ｄ２よりも長くなるように設定されている。また、左縫合部分１３２の右側縁部の周長が左抉り部８１の周長と略同じになるように設定されている。なお、これら両者の周長は、伸ばし縫い等により適切に縫合を実行できる周長であればよく、互いに異なる周長としてもよい。
【００５８】
左縫合部分１３２と左抉り部８１との縫合が解かれた場合には更に、左縫合部分１３２の突出寸法（膨出寸法）が左抉り部８１の凹み寸法よりも小さくなるように設定されている。具体的には、第５仮想線１４３と左縫合部分１３２の頂部１３４との最短距離ｄ３が、第６仮想線１４４と左抉り部８１の最深部８５との最短距離ｄ４よりも短くなるように設定されている。第５仮想線１４３は、左縫合部分１３２の上端部１３５と下端部１３７とを最短距離ｄ１で結ぶ直線であり、第６仮想線１４４は、左抉り部８１の上端部１３６と下端部９３とを最短距離ｄ２で結ぶ直線である。すなわち、左縫合部分１３２と左抉り部８１とを左右方向に並べたとき（図８参照）、左縫合部分１３２の上端部１３５と左抉り部８１の上端部１３６とが合致し、かつ左縫合部分１３２の下端部１３７と左抉り部８１の下端部９３とが合致した状態で、左縫合部分１３２における前記縫合ライン上の頂部１３４が左抉り部８１における縫合ライン上の最深部８５に左右方向において到達しない（届かずに合致しない）。このような寸法（短寸）に左縫合部分１３２は形成されている。
【００５９】
図９に示されるように、第２実施形態においては、右袖４は上端部背面７８側に、後側領域８の右抉り部１０１に縫合された右縫合部分１５２を有している。右袖４の上端部背面７８側が右抉り部１０１に縫合される前では右縫合部分１５２は全体が右抉り部１０１よりも左右方向において短いので、右抉り部１０１の最深部１０５には到達しない。詳しくは、右袖４の上端部背面７８側に右基部１５１と前述の右縫合部分１５２とが設けられている。右基部１５１は、上端部背面７８側のうち右袖４の長手方向他端部（下端部）側に配されている。右縫合部分１５２は、上端部背面７８側のうち右袖４の長手方向一端部（上端部）側に配されている。
【００６０】
右縫合部分１５２は、右基部１５１から右抉り部１０１（後側領域８）に向かって膨出する膨出形状を有し、その形状のなかで左右方向の中心縦線８３側へ最も突出する部分に、頂部１５４を備えている。頂部１５４は、右抉り部１０１に対して凸形状の縫合ラインを形作る、右縫合部分１５２の（背面から見て）左側縁部上に配されている。
【００６１】
右袖４の上端部背面７８側においては、右縫合部分１５２の左側縁部が右抉り部１０１に縫合される。この際、右縫合部分１５２の左側縁部の上端部１５５が右抉り部１０１の上端部１５６と合致させられ、右縫合部分１５２の左側縁部の下端部１５７が右抉り部１０１の下端部１１３と合致させられる。さらに、右縫合部分１５２の頂部１５４が右抉り部１０１の最深部１０５と合致させられる。
【００６２】
右縫合部分１５２と右抉り部１０１との縫合が解かれた場合（即ち、これら両者が分離している場合）、右縫合部分１５２の上端部１５５と下端部１５７との最短距離ｄ５は、右抉り部１０１の上端部１５６と下端部１１３との最短距離ｄ６よりも長くなるように設定されている。また、右縫合部分１５２の左側縁部の周長が右抉り部１０１の周長と略同じになるように設定されている。なお、これら両者の周長は、伸ばし縫い等により適切に縫合を実行できる周長であればよく、互いに異なる周長としてもよい。
【００６３】
右縫合部分１５２と右抉り部１０１との縫合が解かれた場合には更に、右縫合部分１５２の突出寸法（膨出寸法）が右抉り部１０１の凹み寸法よりも小さくなるように設定されている。具体的には、第７仮想線１６３と右縫合部分１５２の頂部１５４との最短距離ｄ７が、第８仮想線１６４と右抉り部１０１の最深部１０５との最短距離ｄ８よりも短くなるように設定されている。第７仮想線１６３は、右縫合部分１５２の上端部１５５と下端部１５７とを最短距離ｄ５で結ぶ直線であり、第８仮想線１６４は、右抉り部１０１の上端部１５６と下端部１１３とを最短距離ｄ６で結ぶ直線である。すなわち、右縫合部分１５２と右抉り部１０１とを左右方向に並べたとき（図９参照）、右縫合部分１５２の上端部１５５と右抉り部１０１の上端部１５６とが合致し、かつ右縫合部分１５２の下端部１５７と右抉り部１０１の下端部１１３とが合致した状態で、右縫合部分１５２における前記縫合ライン上の頂部１５４が右抉り部１０１における縫合ライン上の最深部１０５に左右方向において到達しない（届かずに合致しない）。このような寸法（短寸）に右縫合部分１５２は形成されている。
【００６４】
なお、左袖３の上端部背面６８は、左抉り部８１に対する凸形状の縫合ラインである左縫合部分１３２を有するものに限られるものではない。すなわち、本発明における左袖の上端部背面はこれに限定するものではなく、左抉り部と縫合されていない分離時に、その左抉り部の最深部に到達しない短寸に形成されたものであればよい。例えば、図１０に示すように、上端部背面１７２が、左抉り部８１に対して凹凸形状の縫合ラインである左縫合部分１７１を有してもよい。図１１に示すように、上端部背面１７５が、直線形状の縫合ラインである左縫合部分１７４を有してもよい。図１２に示すように、上端部背面１７８が、左抉り部８１に対して凹形状の縫合ラインである左縫合部分１７７を有してもよい。
【００６５】
本発明における右袖の上端部背面側は、本発明における左袖の上端部背面側と同様の構成を採用することが可能であり、右袖の上端部背面７８が左袖３の上端部背面６８と、後側領域８に対して左右対称の構成を有している。
【００６６】
なお、図７及び図８に示すように、左抉り部８１の最深部８５は、左抉り部８１の上下方向の中央１８１よりも下方に配置することが好ましい。また、図７及び図９に示すように、右抉り部１０１の最深部１０５は、右抉り部１０１の上下方向の中央１８２よりも下方に配置することが好ましい。この構成により、衣料の上半身部１を着用する者の肩口に対応する上半身部１の部分が着用者の背面中央側へよれる事態が防止されるので、上半身部１はしわが寄りにくく、着用者の運動を邪魔しにくい。
【００６７】
図７に示したように、左抉り部８１における最深部８５の深さｖ１が右抉り部１０１における最深部１０５の深さｖ２と等しく、これらの深さｖ１、ｖ２に対し、左抉り部８１の最深部８５と右抉り部１０１の最深部１０５との間における後側領域８の左右方向の長さｖ３が、比ｖ１：ｖ２：ｖ３＝１：１：０．５〜６の範囲内に収まるように設定することが好ましい。左抉り部８１における最深部８５の深さｖ１は、最深部８５と第３仮想線８７との最短距離に相当する。第３仮想線８７は、図７に示すように、衣類の上半身部５１の左脇部１３（左抉り部８１の下端部９３）から衣類の上半身部５１の左肩部９５側に向かって後身頃１２の上方へ略垂直に延びる直線である。第３仮想線８７はまた、後身頃１２の左右方向の中心縦線８３と略平行に延在する。右抉り部１０１における最深部１０５の深さＶ２は、最深部１０５と第４仮想線１０７との最短距離に相当する。第４仮想線１０７は、図７に示すように、衣類の上半身部５１の右脇部１４（右抉り部１０１の下端部１１３）から衣料の上半身部５１の右肩部１１５側に向かって後身頃１２の上方へ略垂直に延びる直線である。第４仮想線１０７はまた、後身頃１２の左右方向の中心縦線８３と略平行に延在する。左抉り部８１の最深部８５と右抉り部１０１の最深部１０５との間における後側領域８の左右方向の長さｖ３は、これら最深部８５・１０５間の最短距離に相当する。
【００６８】
図８では、左抉り部８１の上端部１３６の真下よりも右側に、左抉り部８１の下端部９３が位置する場合を示したが。これに限らず、図１３に示すように、左抉り部８１の上端部１３６の真下よりも左側に、左抉り部８１の下端部９３が位置してもよい。右抉り部１０１についても同様であって、右抉り部の上端部の真下よりも右側に、右抉り部の下端部が位置してもよい。
【００６９】
また、図５、図６、図７に示したが、左袖３のうち少なくとも着用者の左脇の下に対向する部分に、柔軟性の高い生地１９１が備えられている。右袖４のうち少なくとも着用者の右脇の下に対向する部分に、柔軟性の高い生地１９２を備えてもよい。この場合、左袖３側の生地１９１は、前述した左袖３の上端部背面６８の機能を損なわないように、左袖３の長さ方向一端部（上端部）の下側に設けられている。右袖４側の生地１９２は、前述した右袖４の上端部背面７８の機能を損なわないように、右袖４の長さ方向一端部（上端部）の下側に設けられている。この構成により、衣類の上半身部５１が着用されたとき、後側領域８の引張りにより左袖３の上端部背面６８側と右袖４の上端部背面７８側とが着用者の後方へ、更に背面中央側へと移動しても、着用者に脇の下の痛みを感じさせずにすむ。
【００７０】
なお、図５、図６、図７に示した柔軟性の高い生地は、左袖３と右袖４とのうち着用者の左右の脇の下の各々に対向する部分のみに備えられた高柔軟性の生地１９１・１９２としている。しかし、これらに限定されるものではなく、例えば、図１４に示すような、着用者の左右の脇の下のほか、左右の上腕および前腕の下側の各々に対向する部分に備えられた高柔軟性の生地１９５・１９６としてもよい。
【００７１】
本発明における左袖は、第１実施形態および第２実施形態の左袖３に代えて、左袖のうち少なくとも上端部背面が、長さ方向に４５ｃＮ以上の伸張力をかけても伸張率が２０％未満である非伸長領域を有する構成であってもよい。この左袖は、全く伸びない構成を含む。本発明における右袖は、第１実施形態および第２実施形態の右袖４に代えて、右袖のうち少なくとも上端部背面が、長さ方向に４５ｃＮ以上の伸張力をかけても伸長率が２０％未満である非伸長領域を有する構成であってもよい。この右袖は、全く伸びない構成を含む。
【００７２】
本発明における左袖は、第１実施形態および第２実施形態の左袖３に代えて、左袖のうち少なくとも上端部背面が、長さ方向において２０％伸長時に伸長力が４５ｃＮ以上となる強伸長力領域を有し、かつ左袖のうち上端部正面が、長さ方向に４５ｃＮ以上の伸張力をかけても伸長率が２０％未満である非伸長領域を有する構成であってもよい。本発明における右袖は、第１実施形態および第２実施形態の右袖４に代えて、右袖のうち少なくとも上端部背面が強伸長力領域を有し、かつ、右袖のうち上端部正面が非伸長領域を有する構成であってもよい。このような場合には、例えば、左右の袖を、それぞれ、正面と背面とを別体に構成した（異なる生地から構成した）袖としてもよい。その他に、強伸長力領域を共に有するように正面と背面とを一体に構成した（同一の生地から構成した）うえで、別の生地等を利用して非伸長領域を、袖のうち少なくとも上端部正面に設けてもよい。
【００７３】
本発明における左袖は、第１実施形態および第２実施形態の左袖３に代えて、左袖のうち少なくとも上端部背面が、長さ方向に４５ｃＮ以上の伸張力をかけても伸張率が２０％未満である非伸長領域を有し、かつ左袖のうち上端部正面が、長さ方向において２０％伸長時に伸長力が４５ｃＮ以上となる強伸長力領域を有する構成であってもよい。本発明における右袖は、第１実施形態および第２実施形態の右袖４に代えて、右袖のうち少なくとも上端部背面が非伸長領域を有し、かつ、右袖のうち上端部正面が強伸長力領域を有する構成であってもよい。このような場合には、例えば、左右の袖を、それぞれ、正面と背面とを別体に構成した（異なる生地から構成した）袖としてもよい。その他に、強伸長力領域を共に有するように正面と背面とを一体に構成した（同一の生地から構成した）うえで、別の生地等を利用して非伸長領域を、袖のうち少なくとも上端部背面に設けてもよい。
【００７４】
上述の教示を考慮すれば、本発明が多くの変更形態および変形形態をとり得ることは明らかである。したがって、本発明が、添付の特許請求の範囲内において、本明細書に記載された以外の方法で実施され得ることを理解されたい。
【符号の説明】
【００７５】
１      衣料の上半身部
２      身頃
３      左袖
４      右袖
８      後側領域
２３    左袖の上端部背面
２８    右袖の上端部背面
５１    衣料の上半身部
６７    左袖の上端部正面
６８    左袖の上端部背面
７７    右袖の上端部正面
７８    右袖の上端部背面
８１    左抉り部
８５    左抉り部の最深部
１０１  右抉り部
１０５  右抉り部の最深部
１３２  左縫合部分
１５２  右縫合部分
１８１  左抉り部の上下方向の中央
１８２  右抉り部の上下方向の中央
１９１  高柔軟性の生地
１９２  高柔軟性の生地
１９５  高柔軟性の生地
１９６  高柔軟性の生地
ｖ１    左抉り部における最深部の深さ
ｖ２    右抉り部における最深部の深さ
ｖ３    左抉り部の最深部と右抉り部の最深部との間における後側領域の左右方向の長さ
【図１】
0006696661.tif 000002
【図２】
0006696661.tif 000003
【図３】
0006696661.tif 000004
【図４】
0006696661.tif 000005
【図５】
0006696661.tif 000006
【図６】
0006696661.tif 000007
【図７】
0006696661.tif 000008
【図８】
0006696661.tif 000009
【図９】
0006696661.tif 000010
【図１０】
0006696661.tif 000011
【図１１】
0006696661.tif 000012
【図１２】
0006696661.tif 000013
【図１３】
0006696661.tif 000014
【図１４】
0006696661.tif 000015